(57)【要約】【課題】墜落防止器具のロック機構確認テストの際における、荷重インジケータの作用を有するブラケットの誤作動の防止を、簡易な構造で安価に実現する。【解決手段】墜落防止器具のベルト２０の先端に取り付けられたブラケット３０を、先端部が一定の間隔で平行に延び、先端側外縁に爪３１ｆを有する一対の側板３１ａ、３１ｂをピン３１ｃ、３１ｄで固定してなるブラケット本体３１と、第一の横バー３２ｂと第二の横バー３２ｃを有する後端部が、ブラケット本体３１の側板３１ａ、３１ｂ間の扁平な収納空間に差し込まれたリング３２とから形成する。爪３１ｆ内面に第一の横バー３２ｂが当接することでこれらは連結され、荷重がかかった場合には、爪３１ｆが広がってリング３２後端部がスライドして引き出され外観が変化する。一方、ブラケット本体３１をつかんで、ベルト２０をドラムケースから急速に引っ張り出す安全確認テストを行っても、リング３２に引っ張り荷重がかからないので、外観は変化しない。【選択図】図３
0003121515.tif 000002
【実用新案登録請求の範囲】
【請求項１】
引き出し口を外面に有するドラムケースと、ドラムケース内に収納され外周方向に回転可能に支持されるドラムと、ドラムケース内に収納されドラムが一定速度以上で回転するとその回転を停止させるロック機構と、ドラム外周に巻きつけられ引き出し口からドラムケース外に引き出されたベルト類と、ベルト類の先端に取り付けられたブラケット本体とリングとからなるブラケットとを有する墜落防止器具において、
ブラケット本体の先端部は、間隔をおいてほぼ平行に延びる一対の側板からなり、リングの後端部は、ブラケット本体の側板間の扁平な収納空間に差し込まれ、この収納空間内においてブラケット本体に設けられた第一のストッパにより固定され、かつリングに一定以上の引っ張り荷重がかかると、ブラケット本体の第一のストッパおよびリングの後端部の一方または双方が変形することにより固定状態が解除され、リング後端部がスライドしてブラケット本体の収納空間から引き出され、かつブラケット本体に設けられた第二のストッパにリング後端部が当接してこのスライドが停止することにより、ブラケットが伸長して外観が変化し、ブラケット本体をつかんでベルト類をドラムケースから引っ張り出す際には、リングに引っ張り荷重がかからず、前記スライドが生じず、ブラケットの外観が変化しないことを特徴とする墜落防止器具。
【請求項２】
上記ブラケット本体の側板に、ブラケット本体の収納空間に差し込まれたリングの後端部の、スライドによる位置の変化を視認可能な覗き孔を設けた請求項１に記載の墜落防止器具。
【請求項３】
上記ブラケット本体の第一のストッパは、ブラケット本体の側板の対向する位置に設けられた爪であり、ブラケット本体の第二のストッパは、前記爪よりも後端側において一対の側板を貫通するピンであり、
上記リングの後端部は、並列する第一のバーと第二のバーとを有し、第一のバーは第二のバーよりも先端側にあり、この第一のバーが爪の内面に当接することによりブラケット本体にリングは固定され、
リングに一定以上の引っ張り荷重がかかると爪が第一のバーに押し広げられ、リングの後端部はスライドしてブラケット本体の収納空間から引き出され、かつピンに第二のバーが当接してスライドが停止する請求項１または２に記載の墜落防止器具。
【請求項４】
上記ブラケット本体の第一のストッパおよび第二のストッパは、一対の側板を貫通するピンであり、リングの後端部には、リング先端方向から後端方向にかけて延びる長孔が設けられ、長孔は、その中途にピンの径よりも小さく絞り込まれた絞り部を有し、長孔の先端と絞り部との間にピンが差し込まれることでリングはブラケット本体に固定され、かつリングに一定以上の引っ張り荷重がかかると絞り部がピンにより押し広げられ、ピンが長孔の絞り部より後方に案内されることで、リングの後端部はスライドしてブラケット本体の収納空間から引き出され、かつ長孔の終端にピンが当接してスライドが停止する請求項１または２に記載の墜落防止器具。
【考案の詳細な説明】
【技術分野】
【０００１】
この考案は、衝撃負荷の有無を外観の変化により知らせる荷重インジケータを備えた墜落防止器具に関する。
【背景技術】
【０００２】
高所作業の際に使用される墜落防止器具は、通常は、引き出し口を外面に有するドラムケースと、ドラムケース内に収納され外周方向に回転可能に支持されるドラムと、ドラムケース内に収納されドラムが一定速度以上で回転するとその回転を停止させるロック機構と、ドラム外周に巻きつけられ引き出し口からドラムケース外に引き出されたベルトと、ベルトの先端に取り付けられたフックとからなる。
使用の際には、高所作業用安全帯を装着した作業者は、安全帯をこの墜落防止器具のフックに引っ掛け、高所での作業中に足場を踏み外すなどして落下したときには、ベルトの急速な送り出しに伴い、ドラムが高速回転することからロック機構が作動し、ベルトの送り出しが停止して宙吊り状態となり、地面への墜落が防止されるようになっている。
【０００３】
この墜落防止器具に、上述したベルトの送り出しの急激な停止などにより、一度でも大きな荷重が加わった場合には、強度や衝撃吸収性が低下するおそれがあり危険であることから、廃棄することが義務付けられている。
しかし、従来の墜落防止器具は、廃棄すべき大きさの荷重が加わったか否かの判断が、その外観からは困難であったため、使用年限を区切って廃棄したり、経験や勘に基づいて廃棄したりしており、基準が不明確であった。
そこで、特許文献1に記載されているように、一定以上の荷重がかかると外観が変化する墜落防止器具が考案されている。
【０００４】
具体的には、この特許文献1に記載の墜落防止器具においては、ベルトとフックの間にブラケットを介在させており、このブラケットは、フックに取り付けられるフック取り付け部と、ベルトに取り付けられるベルト取り付け部と、フック取り付け部とベルト取り付け部との間に介在する荷重検出部とからなる。
より詳しくは、ベルト取り付け部は、ベルト端部が巻きつけ固定されたリングと、両端にフランジが設けられたシャフトとからなり、このシャフトはリング外周の先端側に設けられた貫通孔に挿通され、フランジが抜け止めとなることで連結されている。
また、フック取り付け部は、フック後端の環状部に差し込まれるピンと、スリーブとからなり、スリーブはその先端側でピンの両端を支持することでフックと連結され、スリーブの後端側は挿通孔を除いて閉塞されている。
ベルト取り付け部のシャフトは、スリーブの挿通孔に挿通され、フランジが抜け止めとなることでスライド可能に連結されている。
そして、スリーブ内部において、スリーブの閉塞側端部とシャフトのフランジとの間には、変形可能なドーナツ状の荷重検出部が挟み込まれている。
【０００５】
このような墜落防止器具のフックに引っ張り荷重が加えられた場合には、ブラケットのフック取り付け部のスリーブと、ベルト取り付け部のシャフトとが逆向きに引っ張られるため、スリーブの閉塞側端部とシャフトのフランジとに挟み込まれた荷重検出部には圧縮荷重が加えられ、その結果、それが大きな力である場合には変形する。
この変形に伴い、シャフトはそのフランジがスリーブの閉塞側端部に接近する方向にスライドするため、ブラケットは伸長し、この変化を視認することにより、大きな荷重が加わったか否か、すなわち廃棄すべきか否かが一目瞭然となる。
このようにして、ブラケットに衝撃負荷の有無を表示する荷重インジケータとしての役割を併せ持たせることが可能となっている。
【特許文献１】特開２００４−９７６９１号公報
【考案の開示】
【考案が解決しようとする課題】
【０００６】
ところで高所での作業に先立ち、安全確認のために、ブラケットをつかんでベルトをドラムケースから急速に引っ張り出し、墜落防止器具のロック機構が正確に作動するかどうかをテストすることがよく行われている。
ここで、特許文献１の墜落防止器具においては、テストの際には、ブラケットの外面であるスリーブをつかんで引っ張ることとなるが、引っ張るたびに上述した場合と同様に、スリーブとシャフトには逆方向に力がかかるため、スリーブの閉塞側端部とシャフトのフランジとに挟み込まれた荷重検出部には圧縮荷重が加わる。
このような圧縮荷重は通常小さなものであるが、テストの繰り返しによりその荷重が累積されると、大きな衝撃がかかっていないのにもかかわらず、荷重検出部が変形してブラケットが伸長し、外観が変化してしまう荷重インジケータの誤作動の問題があった。
また、上述したことからわかるように、特許文献1の荷重インジケータとしてのブラケットは部品点数が多く、構造が複雑でもあるため、製造コストが高くつく問題があった。
【０００７】
そこでこの考案は、衝撃負荷の有無を外観の変化により知らせる荷重インジケータとしての作用を持つブラケットを有する墜落防止器具において、ロック機構確認テストの際における荷重インジケータの誤作動の防止を、簡易な構造で安価に実現することをその課題とする。
【課題を解決するための手段】
【０００８】
上記した課題を解決するため、この考案にかかる墜落防止器具においては、ベルト類の先端に取り付けられたブラケットを、先端部が間隔をおいてほぼ平行に延びる一対の側板からなるブラケット本体と、後端部がブラケット本体の側板間の扁平な収納空間に差し込まれ、ブラケット本体に設けられた第一のストッパにより固定されたリングとから形成したのである。
そして、リングに一定以上の引っ張り荷重がかかると、ブラケット本体の第一のストッパおよびリングの後端部の一方または双方が変形してこの固定状態が解除されることにより、リング後端部がスライドしてブラケット本体の収納空間から引き出され、ブラケットが伸長してその外観が変化するようにして、ブラケットに荷重インジケータとしての役割を併せ持たせることとしたのである。
さらに、このスライド状態は、ブラケット本体に設けられた第二のストッパにリング後端部が当接することにより停止されるようにし、リングのブラケット本体からの脱落が防止され、安全性が確保されるようにしたのである。
【０００９】
以上のようにブラケットを構成したため、ブラケット本体をつかんでベルト類をドラムケースから急速に引っ張り出す安全確認のテストを行う場合には、リングに引っ張り荷重がかかることはない。
そのため、テストの際に、ブラケット本体からリングが引き出されブラケットの外観が変化する心配がない。
また、ブラケットの構造が簡単であり部品点数も少ないため、製造コストを抑えることができる。
なお、ここで言うベルト類とは、フレキシブルな紐状体全般を指し、具体的には、平ベルト、ロープなどが挙げられる。また、リングとは、安全帯への墜落防止器具の連結の際に用いられる、カラビナ等の連結具を取り付け可能な環状部を有するすべてのものをいい、円形リングに限定されない。
【００１０】
ブラケット本体の側板に、ブラケット本体の収納空間に差し込まれたリングの後端部の、スライドによる位置の変化を視認可能な覗き孔を設けると、荷重がかかったか否かの判断が一層容易となる。
【００１１】
より具体的には、ブラケット本体の第一のストッパを、ブラケット本体の側板の対向する位置に設けられた爪とし、ブラケット本体の第二のストッパを、爪よりも後端側において一対の側板を貫通するピンとし、リングの後端部は、並列する先端側の第一のバーと後端側の第二のバーとを有するものとし、この第一のバーが爪の内面に当接することによりブラケット本体にリングを固定するのが好ましい。
この場合、リングに一定以上の引っ張り荷重がかかると爪が第一のバーに押し広げられ、リングの後端部はスライドしてブラケット本体の収納空間から引き出され、かつピンに第二のバーが当接してスライドが停止することとなる。
【００１２】
また、ブラケット本体の第一のストッパおよび第二のストッパを、一対の側板を貫通するピンとし、リングの後端部にリングの先端方向から後端方向にかけて延びる長孔を設け、長孔の先端と、長孔の中途にあるピンの径よりも小さく絞り込まれた絞り部との間にピンを差し込むことにより、リングをブラケット本体に固定してもよい。
この場合、リングに一定以上の引っ張り荷重がかかると、絞り部がピンにより押し広げられ、ピンが長孔の絞り部より後方に案内されることで、リングの後端部はスライドしてブラケット本体の収納空間から引き出され、かつ長孔の終端にピンが当接してスライドが停止することとなる。
【考案の効果】
【００１３】
荷重インジケータとしての作用を有するブラケットの、ブラケット本体とリングとを、ブラケット本体をつかんで引っ張る安全確認テストの際には、リングに引っ張り荷重がかかることはないようにしたため、荷重インジケータの誤作動が防止される効果を奏することとなる。
【考案を実施するための最良の形態】
【００１４】
図１のように、この考案の第一の実施形態にかかる墜落防止器具１は、墜落防止器具本体１０と、後述する墜落防止器具本体１０のドラムケースの引き出し口から引き出されたベルト２０と、ベルト２０の先端に取り付けられたブラケット本体３１とリング３２とからなるブラケット３０とからなる。
墜落防止器具１を使用する際には、通常は、リング３２と作業者の装着した安全帯とをカラビナ等を介して連結する。
墜落防止器具本体１０は、引き出し口を外面に有するドラムケースと、ドラムケース内に収納され外周方向に回転可能に支持されるドラムと、ドラムケース内に収納されドラムが一定速度以上で回転するとその回転を停止させるロック機構とを有し、ドラム外周には、ベルト２０が巻きつけられている。
以下、ブラケット３０以外は従来の墜落防止器具と同様であるため、説明を省略する。
【００１５】
図２および図３にブラケット３０の詳細を示す。図示のように、ブラケット３０は、ブラケット本体３１と、リング３２とからなる。
ブラケット本体３１は、厚み方向に左右対称（鏡像関係）となるようにプレス加工等により折り曲げた側板３１ａ、３１ｂ同士を重ね合わせ、貫通孔を通じてピン３１ｃ、３１ｄで固定してなり、その先端部は側板３１ａ、３１ｂ同士が一定の間隔をおいてほぼ平行に延びており、その後端部は側板３１ａ、３１ｂ同士が接した状態となっている。
そして、後端部に設けられたほぼ方形のベルト取り付け孔３１ｅには、ベルト２０の端部が差し込まれ、折り返されて重ね合わせた部分が縫い付けられ固定されることにより連結され、縫い付け部分には、ベルトカバー２１が被せられている。
また、側板３１ａ、３１ｂのそれぞれの先端部側の外縁は、同じ箇所において突出しており、この対向する突出部分が接近する方向に（内側に）折り曲げられることにより爪３１ｆが形成されている。さらに、両側板３１ａ、３１ｂの先端部ほぼ中央には、円形の小さな貫通孔である覗き孔３１ｇが形成されている。
ピン３１ｃ、３１ｄは、取り付け孔３１ｅの両側に位置する後端ピン３１ｃと、覗き孔３１ｇの両側のやや先端側寄りに位置する先端ピン３１ｄとからなる。
リング３２は、その平面視形状は、環状部が並列する８の字状であって、またその断面形状は円形であり、安全帯に連結されたカラビナ等を係合させるための安全帯連結バー３２ａと、後端部の直線状に並列する第一の横バー３２ｂと、第二の横バー３２ｃと、これらの端部同士を連結する縦バー３２ｄとからなる。
リング３２の後端部は、ブラケット本体３１の先端部の側板３１ａ、３１ｂに区画される扁平な収納空間に差し込まれており、第一の横バー３２ｂと第二の横バー３２ｃおよび縦バー３２ｄで形成される方形の環状部には、ブラケット本体３１の先端ピン３１ｄが差し込まれている。
【００１６】
ここで、リング３２のそれぞれのバー３２ａ〜３２ｄの径は、同一径であって、ブラケット本体３１の対向する爪３１ｆ間の間隔よりも大きく、爪３１ｆの内面は、バー３２ａ〜３２ｄの外面に沿うように円弧状に湾曲している。
また、ブラケット本体３１先端部の収納空間の奥行きは、第一の横バー３２ｂと第二の横バー３２ｃの間隔にほぼ対応しており、収納空間の厚み（側板３１ａ、３１ｂ間の間隔）は、バー３２ａ〜３２ｄの径にほぼ対応している。
そのため、図２のように、常態においてブラケット３０は、リング３２の第二の横バー３２ｃが収納空間の行き止まり（奥部）に当接し、第一の横バー３２ｂが爪３１ｆの内面に隙間なく当接し、ブラケット本体３１の収納空間厚み方向においても過不足なく収まるため、ブラケット本体３１とリング３２とは、ぐらつくことなく連結されている。
そして、この場合、図示のように、ブラケット本体３１の覗き孔３１ｇからは、リング３２の第二の横バー３２ｃが見えないようになっている。
【００１７】
次に図３のように、リング３２に一定以上の引っ張り荷重（図中矢印）がかかると、リング３２の第一の横バー３２ｂが、ブラケット本体３１の爪３１ｆの内側から大きな負荷を加えるため、爪３１ｆが押し広げられる。
こうして対向する爪３１ｆ間の間隔が、第一の横バー３２ｂの径相当に広がると同時に、リング３２の後端部はスライドしてブラケット本体３１の収納空間から引き出される。
ここで、上述したように、第一の横バー３２ｂと第二の横バー３２ｃおよび縦バー３２ｄとで形成される方形の環状部にはブラケット本体３１の先端ピン３１ｄが差し込まれているため、リング３２が一定量スライドすると、第二の横バー３２ｃが先端ピン３１ｄに当接してスライドが停止する。
かくしてブラケット３０は伸長し、このスライド前後のブラケット３０の外観の変化を目視することにより、衝撃負荷の有無を確認することができる。
また、上述したように、ブラケット本体３１の覗き孔３１ｇは、両先端ピン３１ｄ中間のやや後ろ側に形成されているため、図示のように、スライド停止状態において、覗き孔３１ｇから先端ピン３１ｄに当接した第二の横バー３２ｃが見えるようになっている。
そのため、覗き孔３１ｇを見ることにより、衝撃負荷の有無が一層容易に確認可能となる。このとき、第二の横バー３２ｃに着色を施しておくと、覗き孔３１ｇから着色部分が見えるため、さらに確認しやすくなる。
【００１８】
一方、墜落防止器具本体１０のロック機構が正常に作動するかどうかの安全確認テストをおこなう際には、ブラケット本体３１をつかんでベルト２０を急速に引っ張り出すこととなる。
この場合には、リング３２には引っ張り荷重がかからないため、ブラケット本体３１の爪３１ｆには、それを押し広げる向きに荷重がかからない。
そのため、リング３２がブラケット本体３１からスライドして引き出されることはなく、落下等による大きな荷重がかかったと誤認することはない。
【００１９】
次に第二の実施形態にかかる墜落防止器具について説明する。この墜落防止器具は、ブラケット４０以外は第一の実施形態にかかる墜落防止器具１と同様であるため、説明を省略する。
図４に、第二の実施形態にかかる墜落防止器具のブラケット４０の詳細を示す。図示のように、ブラケット４０は、第一の実施形態と同様に、ブラケット本体４１と、リング４２とからなる。
ブラケット本体４１は、厚み方向に左右対称（鏡像関係）となるように折り曲げた側板４１ａ、４１ｂ同士を重ね合わせ、貫通孔を通じてピン４１ｃ、４１ｄで固定してなり、その先端部は側板４１ａ、４１ｂ同士が一定の間隔をおいてほぼ平行に延びており、その後端部は側板４１ａ、４１ｂ同士が接合されている。
そして、後端部に設けられたほぼ方形のベルト取り付け孔４１ｅには、ベルト２０の端部が差し込まれ、折り返されて重ね合わせた部分が縫い付けられて連結されている。
ピン４１ｃ、４１ｄは、ブラケット本体４１の先端部に並列して設けられる中央ピン４１ｃと、２つの側部ピン４１ｄとからなる。
リング４２は、厚みのほぼ均一な板状体であって、先端部には、安全帯に連結されたカラビナ等を差し込むための安全帯連結孔４２ａが設けられ、後端部にはリング４２の先端方向から後端方向にかけて（縦方向に）延びる長円形の長孔４２ｂが設けられており、長孔４２ｂと平行してリング４２両側の外縁は窪み、窪み部４２ｃとなっている。
リング４２の後端部は、ブラケット本体４１の先端部の側板４１ａ、４１ｂに区画される扁平な収納空間に差し込まれており、長孔４２ｂと窪み部４２ｃには、それぞれ中央ピン４１ｃ、側部ピン４１ｄが差し込まれている。
【００２０】
ここで、長孔４２ｂの中央ピン４１ｃが差し込まれた部分のすぐ後側は、中央ピン４１ｃの径よりも小さく絞り込まれて、絞り部４２ｄとなっている。
また、リング４２の厚みは、ブラケット本体４１の先端部の側板４１ａ、４１ｂの間隔にほぼ対応しており、リング４２の後端部とブラケット本体の先端部とは、ほぼ補完形状となっている。
そのため、図４のように、常態においてブラケット４０は、リング４２の長孔４２ｂの先端と絞り部４２ｄ間の部分に中央ピン４１ｃが過不足なくはまり込み、リング４２後端部がブラケット本体４１の収納空間厚み方向においても過不足なく収まるため、ブラケット本体４１とリング４２とがぐらつくことなく連結されている。
【００２１】
次に図５のように、リング４２に一定以上の引っ張り荷重（図中矢印）がかかると、リング４２の長孔４２ｂの絞り部４２ｄにブラケット本体４１の中央ピン４１ｃが大きな負荷を加えるため、絞り部４２ｄが押し広げられる。
こうして絞り部４２ｄの幅が中央ピン４１ｃの径相当に広がると同時に、中央ピン４１ｃは長孔４２ｂの絞り部４２ｄよりも後方に移動可能となって案内され、リング４２の後端部はスライドしてブラケット本体４１の収納空間から引き出される。
これと同時に、ブラケット本体４１の側部ピン４１ｄもリング４２の窪み部４２ｃに案内されるが、図示のように長孔４２ｂの終端と窪み部４２ｃの終端は同一レベルにあり、上述したように、中央ピン４１ｃと側部ピン４１ｄは並列しているため、中央ピン４１が長孔４２ｂの終端に当接すると同時に、側部ピン４１ｄが窪み部４２ｃの終端に当接し、三箇所での当接により、スライド状態が確実に停止される。
かくしてブラケット４０は伸長し、このスライド前後のブラケット４０の外観の変化を目視することにより、衝撃負荷の有無を確認することができる。
【００２２】
一方、墜落防止器具本体１０のロック機構が正常に作動するかどうかの安全確認テストをおこなう際には、ブラケット本体４１をつかんでベルト２０を急速に引っ張り出すこととなる。
この場合には、リング４２には引っ張り荷重がかからないため、リング４２の長孔４２ｂの絞り部４２ｄには、それを押し広げる向きに荷重がかからない。
そのため、リング４２がブラケット本体４１からスライドして引き出されることはなく、落下等による大きな荷重がかかったと誤認することはない。
【図面の簡単な説明】
【００２３】
【図１】第一の実施形態にかかる墜落防止器具の正面図
【図２】（ａ）は墜落防止器具の常態におけるブラケット部分の拡大正面図、（ｂ）は（ａ）の縦断面図
【図３】（ａ）は墜落防止器具の荷重がかかった場合におけるブラケット部分の拡大正面図、（ｂ）は（ａ）の縦断面図
【図４】第二の実施形態にかかる墜落防止器具の常態におけるブラケット部分の拡大正面図
【図５】第二の実施形態にかかる墜落防止器具の荷重がかかった場合におけるブラケット部分の拡大正面図
【符号の説明】
【００２４】
１  墜落防止器具
１０  墜落防止器具本体
２０  ベルト
２１  ベルトカバー
３０  ブラケット
３１  ブラケット本体
３１ａ、３１ｂ  側板
３１ｃ  後端ピン
３１ｄ  先端ピン
３１ｅ  ベルト取り付け孔
３１ｆ  爪
３１ｇ  覗き孔
３２  リング
３２ａ  安全帯連結バー
３２ｂ  第一の横バー
３２ｃ  第二の横バー
３２ｄ  縦バー
４０  ブラケット
４１  ブラケット本体
４１ａ、４１ｂ  側板
４１ｃ  中央ピン
４１ｄ  側部ピン
４１ｅ  ベルト取り付け孔
４２  リング
４２ａ  安全帯連結孔
４２ｂ  長孔
４２ｃ  窪み部
４２ｄ  絞り部
【図１】
0003121515.tif 000003
【図２】
0003121515.tif 000004
【図３】
0003121515.tif 000005
【図４】
0003121515.tif 000006
【図５】
0003121515.tif 000007